(57)【要約】【課題】  大柄な遺体を収納した場合でも、収納用開口のファスナーを開閉し易く、ファスナーを縫い付け易い遺体収納袋を提供する。【解決手段】  下部壁面（２）に載置される遺体の上方に横断面山形の覆いを形成する二つの矩形状の上方壁面（３）と、その両側辺（３ｃ，３ｃ）から各々垂下して、山形の隙間を閉鎖する四つの側方壁面（４）と、備え、上方壁面（３）同士及び側方壁面（４）同士の間に連続的に形成される収納用開口（１ａ）を閉じるようにしたファスナー（５）が取り付けられていることを特徴とする。【選択図】図１
0003149733.tif 000002
【実用新案登録請求の範囲】
【請求項１】
シート材を接合することにより形成され、ファスナーで閉じられる開口を有する遺体収納袋であって、
遺体を載置する矩形状の下方壁面（２）と、
前記下方壁面（２）の長手方向の両側辺（２ａ，２ａ）から内側上方へ延びて、前記下方壁面（２）の短手方向の中央上方で合わされることにより、下部壁面（２）に載置される遺体の上方に横断面山形の覆いを形成する二つの上方壁面（３）と、
前記二つの上方壁面（３）の前記短手方向に延びる両側辺（３ｃ，３ｃ）から各々垂下して、前記下方壁面（２）と前記上方壁面（３）の間に形成される横断面山形の隙間を閉鎖する四つの側方壁面（４）と、備え、
前記上方壁面（３）同士及び前記側方壁面（４）同士の間に連続的に形成される収納用開口（１ａ）を閉じるようにしたファスナー（５）が取り付けられていることを特徴とする遺体収納袋。
【請求項２】
前記側方壁面（４）の上端部が平坦形状であることを特徴とする請求項１に記載の遺体収納袋。
【考案の詳細な説明】
【技術分野】
【０００１】
本考案は、遺体を収納して搬送するための遺体収納袋に関する。
【背景技術】
【０００２】
従来、災害時などにおける遺体搬送の際、遺体を載せた担架を外部から見えないようにシートで包むことが一般的に行われている。しかしながら、その作業が煩雑であることに加え、新型インフルエンザ等の伝染病の場合、シートで包むだけでは、病原性ウィルスが周囲に拡散するリスクがある。
【０００３】
これに対し、本願発明者は、図３に示されるように、矩形状の下部シート１１と、下部シートの上面側に周縁部が縫合される矩形状の上部シート１２と、これらの周縁部の長手方向に設けられる複数本の把手ベルト１３を備え、下部シート１０及び上部シート１２をポリエチレン製とし、上部シート１２に設けられる遺体収納用のＵ字形開口１０１をファスナーで開閉可能にした遺体収納袋１０を提案している（特許文献１参照。）。
【先行技術文献】
【特許文献】
【０００４】
【特許文献１】実用新案登録第３１２０８５４号公報
【考案の概要】
【考案が解決しようとする課題】
【０００５】
しかしながら、上記遺体収納袋１０に大柄な遺体を収納した場合には、上部シート１２の周縁部が引っ張られてＵ字形開口１０１が大きく広がってしまい、ファスナーを容易に閉じられないという問題がある。また、下部シート１１と上部シート１２の縫合は容易に行えるが、湾曲したＵ字形開口１０１にファスナーを取り付ける縫製作業は難しく、コスト・品質管理面における負担が大きい。
【０００６】
本考案は、斯かる実情に鑑み、大柄な遺体を収納した場合でも、収納用開口のファスナーを開閉し易く、ファスナーを取り付け易い遺体収納袋を提供しようとするものである。
【課題を解決するための手段】
【０００７】
本考案の請求項１は、シート材を接合することにより形成され、ファスナーで閉じられる開口を有する遺体収納袋であって、遺体を載置する矩形状の下方壁面（２）と、前記下方壁面（２）の長手方向の両側辺（２ａ，２ａ）から内側上方へ延びて、前記下方壁面（２）の短手方向の中央上方で合わされることにより、下部壁面（２）に載置される遺体の上方に横断面山形の覆いを形成する二つの矩形状の上方壁面（３）と、前記二つの上方壁面（３）の前記短手方向に延びる両側辺（３ｃ，３ｃ）から各々垂下して、前記下方壁面（２）と前記上方壁面（３）の間に形成される横断面山形の隙間を閉鎖する四つの側方壁面（４）と、備え、前記上方壁面（３）同士及び前記側方壁面（４）同士の間に連続的に形成される収納用開口（１ａ）を閉じるようにしたファスナー（５）が取り付けられていることを特徴とする遺体収納袋を提供する。
【０００８】
本考案の請求項２は、前記側方壁面（４）の上端部が平坦形状であることを特徴とする請求項１に記載の遺体収納袋を提供する。
【考案の効果】
【０００９】
本考案の遺体収納袋によれば、遺体を上方から覆う二つの上方壁面（３）が横断面山形を形成するので、大柄な遺体を収納した場合でも、それによって収納用開口（１ａ）が広がってしまうような事態は避けられ、ファスナー（５）の開閉操作が阻害されることがないという効果を奏し得る。
【００１０】
また、矩形状の上方壁面（３）同士及び上方壁面（３）から垂下する側方壁面（４）同士の間に形成される収納用開口（１ａ）は、これを開閉するファスナー（５）を側方へ湾曲させる必要がないため、ファスナー（５）を取り付け易いという効果も奏し得る。
【００１１】
特に、側方壁面（４）の上端部を平坦形状とすることにより、収納用開口（１ａ）において上方壁面（３）と側方壁面（４）をつなぐ部分のファスナー（５）の取り付けがし易くなるという効果を奏し得る。
【図面の簡単な説明】
【００１２】
【図１】本実施形態に係る遺体収納袋を示す斜視図。
【図２】本実施形態に係る遺体収納袋の変形例を示す斜視図。
【図３】従来の遺体収納袋を示す斜視図。
【考案を実施するための形態】
【００１３】
以下、本考案の実施形態について図面を参照しながら説明する。
【００１４】
（遺体収納袋１）
本実施形態に係る遺体収納袋１は、ポリエチレン等の樹脂製シート材又は樹脂コーティングされた布シート材などのシート材を縫合することにより形成される袋状体であって、図１に示されるように、収納する遺体Ｂが載置される下方壁面２と、その上方に横断面山形の覆いを形成する二つの上方壁面３と、下方壁面２と上方壁面３の間に形成される側面の隙間を閉鎖する四つの側方壁面４と、収納用開口１ａを閉じるためのファスナー５、及び搬送時の把手部となるベルト６を備えてなる。
【００１５】
（下方壁面２）  
下方壁面２は、遺体Ｂを搬送する際の支持底面であり、シート材で矩形状に形成してなり、大柄な遺体を収納する場合を考慮して、例えば、長さ２１０ｃｍ、幅８０ｃｍ程度の大きさとされている。
【００１６】
（上方壁面３）  
二つの上方壁面３は、遺体Ｂを上方から覆うとともに搬送時における横方向へのズレを防止する役割を果たすものでもあり、下方壁面２と同様にシート材で矩形状に形成してなり、長さは下方壁面２と同じ２１０ｃｍ、幅５０ｃｍ程度の大きさとされている。上方壁面３の長手方向に延びる両側辺３ａ，３ｂの一側辺３ａが、下方壁面２の長手方向に延びる両側辺２ａ，２ａと縫合されており、他側辺３ｂが、下方壁面２の短手方向の中央上方で合わされて、横断面山形、より具体的には略二等辺三角形を成す。側辺３ｂ同士が合わされる山形の頂部は、ガマグチ状に開く収納用開口１ａの上方部分となる。
【００１７】
（側方壁面４）
四つの側方壁面４は、シート材で直角三角形に形成されており、下方壁面２と上方壁面３の間に形成される横断面山形の隙間を閉鎖する。具体的には、直角三角形の斜辺４ｃが二つの上方壁面３の短手方向に延びる両側辺３ｃ，３ｃに縫合され、そこから各々垂下した位置にある一方の隣辺４ｂが下方壁面２の短手方向に延びる両側辺２ｂに縫合される。そして、上下方向に延びる他方の隣辺４ａ同士が、下方壁面２の短手方向の中央上方で合わされて、収納用開口１ａの側方部分を成し、上方壁面３同士が合わされる山形の頂部とともに収納用開口１ａ全体を形成する。
【００１８】
（ファスナー５）
ファスナー５は、噛み合わせられる歯部の両側に設けられるテープ部が、収納用開口１ａを成す上方壁面３の側辺３ｂ及び側方壁面４の隣辺４ｂに縫合されることにより、収納用開口１ａを開閉可能とするように取り付けられる。ファスナー５には、開閉操作をするためのスライダー５１，５１が二個向かい合うように設けられており、両端のどちらからでも閉じることができる。
【００１９】
（ベルト６）
ベルト６は、布製の平状ベルトであって、その両端が袋状体に縫い付けられ、遺体搬送時に掌を通して握る把手部となるもので、上方壁面３の側辺３ａ，３ａ沿いに四個（複数個）ずつ所定間隔をおいて取り付けられる。ベルト６は、上方壁面３の上面側に設けられるが、取付け強度を確保するため、下方壁面２が共縫いされている。
【００２０】
（上記実施形態に係る遺体収納袋１の特徴）
上記実施形態に係る遺体収納袋１は、以下のような特徴を有する。
【００２１】
第一に、下方壁面２に載置される遺体Ｂを上方から覆う二つの上方壁面３が横断面山形を形成するという特徴を有する。これにより、たとえ大柄な遺体を収納する場合においても、上方壁面３を中央部へ容易に引き寄せることができ、ファスナー５を閉じ作業を迅速円滑に行うことができる。また、横断面山形、特に二等辺三角形の覆いとしたことにより、遺体を下方壁面２の中央付近に保持するように作用するので、搬送時に遺体が下方壁面２上で大きく側方へずれてバランスを崩すことが防止される。
【００２２】
第二に、上記実施形態に係る遺体収納袋１は、矩形状の上方壁面３同士及び上方壁面３から垂下する側方壁面４同士の間に形成される収納用開口１ａは、ガマグチ状ではあるが、下方壁面２の短手方向の中央に沿って延びるという特徴を有する。これにより、ファスナー５が側方へ湾曲させられることがなく、縫付け作業がし易いという利点がある。
【００２３】
（上記実施形態の変形例）
上記実施形態に係る遺体収納袋１は、側方壁面４が直角三角形とされているが、これに限らず、図２に示されるように、上端に水平方向に延びる平坦部４ｄを備える台形状としても良い。これにより、収納用開口１ａにおいて上方壁面３から側方壁面４へ移行するつなぎ部分に対するファスナー５の縫い付けがし易くなるという利点がある。また、上方壁面２と縫合される側方壁面４の上辺を四分円弧形状とし、袋全体としてかまぼこ状の山形を成すようにしても、上端に平坦形状となる部分を形成することができる。
【００２４】
上記実施形態に係る遺体収納袋１は、各壁面を構成するシート材を縫い合わせて接合することとしたが、例えば下方壁面２と上方壁面３等は、壁面同士が予め連結された状態となるようにシート材をカットして縫合作業を省いても良い。また、接着や溶着による接合を採用しても良い。その他、本考案の遺体収納袋は、上記実施形態に限定されることなく、本考案の要旨を逸脱しない範囲において種々変更を加え得ることは勿論である。
【符号の説明】
【００２５】
１  遺体収納袋
２  下方壁面
３  上方壁面
４  側方壁面
５  ファスナー
６  ベルト（把手部）
【図１】
0003149733.tif 000003
【図２】
0003149733.tif 000004
【図３】
0003149733.tif 000005